(57)【要約】    【課題】継電器の動作、釈放電圧試験において、測定精度を保ちつつ、測定時間の短縮を行う。【解決手段】  測定開始前にコイルに電圧を印加し、コイルの状態を実運用状態に近い条件として、動作電圧、釈放電圧値の測定を開始する電圧である最終基準値を予め求めておき、実測定時には前記最終基準値から測定を開始し、詳細データの取得を行った。又、測定は計5回行い1回目の測定値は参考値とした。    【選択図】  図１
2006064546.tif 000002
【特許請求の範囲】
【請求項１】
継電器の動作、釈放電圧試験において、予め実測定を行う前に、動作電圧と釈放電圧の測定開始する最終基準値を求めておき、実試験時には前記最終基準値から上昇又は下降の電圧を印加して複数回測定を行うことを特徴とする継電器の動作、釈放電圧試験方法。
【請求項２】
請求項１に記載の継電器の動作、釈放電圧試験方法において、
予めコイルを実運用時の温度まで温め、その後所定の電圧上昇速度でリレー接点検知部がリレーの動作を検出するまで前記コイルに電圧を印加し、動作を検出すると、そのときの電圧より２Ｖ下の電圧を開始電圧として、最初の電圧上昇速度の２／１０の速度で電圧を印加してリレー接点の動作を検出し、そのときの電圧を動作電圧の最終基準値とすることを特徴とする継電器の動作、釈放電圧試験方法。
【請求項３】
請求項１に記載の継電器の動作、釈放電圧試験方法において、
定格電圧から所定の降下速度で電圧をリレー接点検知部がリレーの遮断を検出するまで下降させ、そのときの電圧より２Ｖ高い電圧を開始電圧とし、最初の電圧降下速度より２／１０の降下速度で電圧を降下させ、リレー接点検知部がリレーの遮断を検出した電圧を釈放電圧の最終基準値とすることを特徴とする継電器の動作、釈放電圧試験方法。
【発明の詳細な説明】
【技術分野】
【０００１】
本発明は鉄道車両搭載用継電器の動作、釈放電圧試験方法に関するものである。
【背景技術】
【０００２】
鉄道車両搭載用継電器の試験方法については、今までＪＩＳの継電器試験に基づいて行っていたが、鉄道車両のように、事故等が発生した場合、社会に対して多大な被害を与えるものに関しては、装置及び各装置を構成する部品にも高い信頼性が要求される。
【０００３】
継電器の自動試験方法として、特許文献１に記載の方法がある。この方法では、試験対象となる継電器に整定値を設定し、段階的又は連続的に変化する試験信号を継電器に印加し、最初に継電器の動作信号をキャッチしたときの第１動作点を継電器の復帰点とし、この後に試験信号の変化量を１／２にして動作信号のキャッチで継電器の第２動作点を求め、さらに変化量を１／５にした測定で第２動作点を更新し、さらに変化量１／１０にした測定で第２動作点を更新し、動作信号が連続してキャッチされるときの第２動作点を継電器の完全動作点として求める。
【０００４】
【特許文献１】特開平８−３２０３４９号公報
【発明の開示】
【発明が解決しようとする課題】
【０００５】
上記従来技術では、継電器の動作点を復帰点に置き換えて、次の試験信号の変化量を１／２，１／５，１／１０とすることで、完全動作点を求めるものである。
【０００６】
しかし、鉄道車両搭載用継電器の動作、釈放試験の重要性が高まる傾向にあるが、前記の試験方法では動作点を求めるために、信号の変化量を数回変化させる必要がある点、また釈放電圧に関しては何ら開示がない。
【０００７】
そこで、本発明の目的は動作、釈放電圧試験方法において、従来通りの試験精度を保ちつつ、試験時間を短縮して継電器の動作、釈放電圧の測定を行えるようにすることである。
【課題を解決するための手段】
【０００８】
継電器の動作、釈放電圧試験において、予め実測定を行う前に、動作電圧と釈放電圧の測定開始する最終基準値を求めておき、実試験時には前記最終基準値から上昇又は下降の電圧を印加して測定を行うことを特徴とする継電器の動作、釈放電圧試験方法。
【発明の効果】
【０００９】
継電器の動作、釈放電圧試験において、従来方法による試験以上の精度を保持しつつ、従来方法よりも短時間で継電器の動作、釈放電圧の測定を行うことが可能となる。
【発明を実施するための最良の形態】
【００１０】
継電器の動作/釈放電圧試験において、予め、継電器のコイルを実運用状態に近似すること、及び動作、釈放電圧測定時に、予め求めた最終測定開始電圧値を用いることで、精度の高い試験を短時間で行う。
【実施例１】
【００１１】
以下、本発明を図示する実施例に基づいて説明する。図４は本試験方法を実施する場合の装置構成を表す。
【００１２】
図４に示すように、試験器２は大きく制御処理装置３と、電源装置５と測定部９とから構成されている。そして、操作処理装置１からＲＳ−２３２Ｃケーブルを介して試験器２内の制御処理装置３のシリアルインタフェース３１へ印加電圧値の指令を送る。受信した指令信号はＣＰＵ、ＡＶＲ３２から、継電器７のコイル４に送られる。ここで、操作処理装置１はパソコン等の入力手段と処理手段と、表示等の報知手段を備えた機器からなる。
【００１３】
ＣＰＵ、ＡＶＲ３２は指令に応じて、Ｄ／Ａ変換器３３を介して０〜１０Ｖの電圧指令を電源装置５へ送る。電源装置５はＤ／Ａ変換器３３からの電圧指令に応じて、０〜３５Ｖの電圧をリレー切換部３５を介し、継電器７内の複数のコイルのうち試験対象となるコイル４へ印加される。
【００１４】
そのときのコイル４の動作、釈放検知は、リレー接点入力部３６で行う。動作、釈放検知時の電圧を測定部９で測定し、その結果は操作処理装置１へ送られる。
【００１５】
コイルへの電圧印加（電圧上昇値、電圧下降値）の様子、及び動作電圧や、釈放電圧の測定開始の最終基準値の求め方について、測定開始電圧算出の様子を示した図１、測定の様子を示した図２、試験方法のフローチャートを示した図３を用いて説明する。
【００１６】
図１に示すように、測定対象となる継電器のコイル４に１０〜２０秒間程度定格電圧（２４Ｖ）を印加し、予めコイル温度を上昇させることで、コイルを実運用時と等価状態とする（Ｓ１）。電圧の印加時間は、コイルが実運用時程度に温まる時間であればよく、前述の時間に限るものではない。コイルを加熱しておくことにより、コイル温度上昇時に起きる動作電圧値のばらつきを測定してしまうことを防ぎ、試験精度を向上させる。
【００１７】
次に、動作、釈放電圧測定時の測定開始電圧値を求める。
【００１８】
動作、釈放電圧値が存在し得る電圧値の範囲を予め絞っておき、その範囲に対して電圧測定を行うことで測定時間を短縮できる。
【００１９】
約１０秒間の定格電圧（２４Ｖ）印加終了の１秒後に０Ｖから電圧上昇値α１（１．０Ｖ／Ｓ）の高速度で電圧を上昇させていき、コイル動作時の電圧（リレー接点の動作時の電圧）を測定する。この電圧値を動作電圧測定開始電圧値の初期基準値Ａとする（Ｓ２）。
【００２０】
初期基準値Ａ−２．０Ｖの電圧を、次の開始電圧値Ａ’とし、再度動作電圧値を測定する。
【００２１】
初回の動作電圧値よりも更に詳細な動作電圧値を確認する為、電圧上昇値α２（０．２Ｖ／Ｓ）で電圧を上昇させていき、コイル動作時の電圧を測定する。この電圧値を動作電圧測定時の測定開始電圧値の最終基準値Ｂとする（Ｓ３）。
【００２２】
次に、釈放電圧の求め方を説明する。釈放電圧においても動作点電圧の求め方と略同様に、最終基準値Ｂ測定の1秒後に、２４Ｖから電圧下降値β１（−１．０Ｖ／Ｓ）の高速度で電圧を下降させていき、リレー接点入力部がコイル釈放の信号を検出した時の電圧を測定する（Ｓ４）。この電圧値を釈放電圧測定開始電圧値の初期基準値Ｃとする。
【００２３】
次に、初期基準値Ｃ＋２．０Ｖの電圧を開始電圧値Ｃ’とし、再度釈放電圧値を測定する。
【００２４】
初回の釈放電圧値よりも更に詳細な釈放電圧値を確認する為、電圧下降値β２（−０．２Ｖ／Ｓ）で電圧を下降させていき、コイル釈放時の電圧を測定する。この電圧値を釈放電圧測定時の測定開始電圧値の最終基準値Ｄとする（Ｓ５）。
【００２５】
以上の手順で求めたそれぞれの最終基準値を基に、測定開始電圧値を求め、動作、釈放電圧の測定を行う。
【００２６】
動作電圧測定では、最終基準値ｂ−１．０Ｖを動作電圧測定開始電圧値Ｂ’とし、開始電圧値ｂ’から電圧上昇値α３（０．０４Ｖ／Ｓ）で電圧を上昇させていき、コイル動作時の電圧を測定する。この時に測定された電圧値が継電器の動作電圧試験としての詳細な動作電圧値となる（Ｓ６）。
【００２７】
釈放電圧測定時も同様に、（最終基準値Ｄ＋１．０）Ｖを釈放電圧測定開始電圧値Ｄ’とし、動作電圧測定終了の１秒後に釈放電圧測定開始電圧値Ｄ’から電圧下降値β３（−０．０４Ｖ／Ｓ）で電圧を下降させていき、コイル釈放時の電圧を測定する。この時に測定された電圧値が継電器の釈放電圧試験としての詳細な釈放電圧値となる（Ｓ７）。
【００２８】
上記の動作、釈放電圧の測定は試験精度を高める為、それぞれ５回ずつ行い、１回目の測定値は参考値とする（Ｓ８）。
【００２９】
従来方法では、２４Ｖリレーで１接点当たり約５０分の試験時間を必要としたが、本方法を用いることで、約５分となり、１／１０の試験時間で測定を行うことが可能となった。また、電圧の偏差を０．４Ｖ以下に抑えた判別が可能となった。
【００３０】
以上のように、本発明では動作電圧、及び釈放電圧を試験器を用いて測定する場合に、予め動作電圧及び釈放電圧の測定する場合に、試験開始時の電圧である最終基準値を求めておき、その最終基準値から電圧を印加又は降下させることで、短時間に高精度にそれぞれの動作点を求めることができる。
【図面の簡単な説明】
【００３１】
【図１】継電器の動作、釈放電圧測定開始電圧値の算出を示した図である。
【図２】継電器の動作、釈放電圧の測定を示した図である。
【図３】継電器の試験手順を示した図である。
【図４】継電器試験の構成を示した図である。
【符号の説明】
【００３２】
１…操作処理装置、２…試験器、３…制御装置、３１…インタフェース、３２…ＡＶＲ、ＣＰＵ、３３…Ｄ／Ａ変換器、５…電源装置、３５…リレー切換、７…継電器、３６…リレー接点入力、９…測定部。
【図１】
2006064546.tif 000003
【図２】
2006064546.tif 000004
【図３】
2006064546.tif 000005
【図４】
2006064546.tif 000006